(57)【要約】【課題】２Ｄ（２次元）及び３Ｄ（３次元）表示機能を備える電子機器において、２Ｄイメージの表示を簡単に３Ｄイメージの表示に切り替えることが出来るようにする。また３Ｄイメージの表示を２Ｄイメージの表示に切り替えできるようにする。【解決手段】２Ｄまたは３Ｄイメージが選択的に切替えて表示される表示手段を備えた電子機器であって、３Ｄイメージの画像データを予め設定記憶する手段と、２Ｄイメージ表示時３Ｄイメージへの表示切替えを指示するキー入力手段と、該キー入力手段のキー入力に従って、前記３Ｄイメージの画像データを読み出し表示する表示制御手段とを設けたことを特徴とする２Ｄ（２次元）及び３Ｄ（３次元）表示機能を備える電子機器を提供する。【選択図】　図７
2004133305.tif 000002
【特許請求の範囲】
【請求項１】
２Ｄまたは３Ｄイメージが選択的に切替えて表示される表示手段を備えた電子機器であって、３Ｄイメージの画像データを予め設定記憶する手段と、
２Ｄイメージ表示時３Ｄイメージへの表示切替えを指示するキー入力手段と、該キー入力手段のキー入力に従って前記３Ｄイメージの画像データを読み出し表示する表示制御手段とを設けたことを特徴とする２Ｄ（２次元）及び３Ｄ（３次元）表示機能を備える電子機器。
【請求項２】
前記キー入力手段は、単一キーの入力操作に基き、３Ｄイメージ表示への切替えが指示されることを特徴とする請求項１に記載の２Ｄ（２次元）及び３Ｄ（３次元）表示機能を備える電子機器。
【請求項３】
前記表示制御手段は、特定の２Ｄイメージの表示状態の検出手段を備え、該特定の２Ｄイメージ表示時のみ、前記キー入力手段により３Ｄイメージ表示に切替えることを特徴とする請求項１ないし２に記載の２Ｄ（２次元）及び３Ｄ（３次元）表示機能を備える電子機器。
【請求項４】
前記特定の２Ｄイメージ表示は、２Ｄイメージの待受け画面であることを特徴とする請求項３に記載の２Ｄ（２次元）及び３Ｄ（３次元）表示機能を備える電子機器。
【請求項５】
２Ｄまたは３Ｄイメージが選択的に切替えて表示される表示手段を備えた電子機器であって、３Ｄイメージ表示時、２Ｄイメージ表示に切替える表示切替手段を設けてなることを特徴とする請求項１ないし４いずれかに記載の２Ｄ（２次元）及び３Ｄ（３次元）表示機能を備える電子機器。
【請求項６】
前記表示切替手段は、全てのキー入力手段を含んでなることを特徴とする請求項５に記載の２Ｄ（２次元）及び３Ｄ（３次元）表示機能を備える電子機器。
【請求項７】
２Ｄまたは３Ｄイメージが選択的に切替えて表示される表示手段を備えた電子機器であって、３Ｄイメージ表示時、２Ｄイメージ表示に切替えるキーと、２Ｄイメージ表示時、３Ｄイメージ表示に切替えるキーとを備えてなることを特徴とする２Ｄ（２次元）及び３Ｄ（３次元）表示機能を備える電子機器。
【発明の詳細な説明】
【０００１】
【発明の属する技術分野】
本発明は、２Ｄ（２次元）及び３Ｄ（３次元）表示機能を備える電子機器に関するものである。
【０００２】
【従来の技術】
近年、携帯端末、携帯パソコン、携帯電話機等の携帯機器、ならびにデスクトップパソコン等の情報機器、さらにはオーディオ・ビデオ機器を含む各種電子機器は、高機能化が進んでいる。
【０００３】
従来の携帯電話機で、３Ｄ表示機能を備えた３Ｄ表示付携帯電話において、２Ｄ（２次元）／３Ｄ表示を切換えて表示できるものが提案されているが、２Ｄ／３Ｄ表示の切換えは、表示体である液晶ディスプレイの上方に配置されたレンチキュラーレンズを移動可能として、２Ｄ表示部と３Ｄ表示部の表示領域を変更可能に構成することにより行っている。（例えば、特許文献１参照。）
通常、携帯電話機において電話機としての未使用時に、待受け画面と呼ばれる画面がデフォルト画面として設定されている。待受け画面は、予め登録されている画像やカメラで撮影した画像、あるいはＷｅｂサイトやメールなどブラウザでダウンロードした画像を選択することにより使用者が任意に設定可能である。　また、この待受け画面はキー操作等を行うことにより、表示体の表示を待受け画面から必要な操作画面あるいは必要な設定画面へと切替えることができる。
【０００４】
図８ないし１３に基いて、２Ｄ表示と切換えが可能な３Ｄディスプレイの構成例を説明する。
【０００５】
図８は、標準的なタイプの液晶デバイス（ＬＣＤ）の画素（ピクセル）のレイアウトを示す。ＬＣＤは、カラーディスプレイに使用され、Ｒ、Ｇ、及びＢによって示される赤、緑、及び青のピクセルから構成される。ピクセルは、赤、緑、及び青のピクセルが垂直に並ぶ列Ｃｏｌ０からＣｏｌ５として、配置される。そこで、ピクセルの最も左の列Ｃｏｌ０は、表示されるイメージの最も左のストリップを表示し、右隣の列Ｃｏｌ１は、イメージの次の列を表示することになり、以下も同様である。
【０００６】
図９のディスプレイは、３Ｄ立体表示を行うために使用される。３Ｄディスプレイは、表示すべき画像内容に従って、バックライト１０２からの光を調節するための空間光変調器として作用する液晶表示デバイス（偏光板を含む）１０１を備える。視差光学系は、ビューイングウインドウを形成するために液晶表示デバイス１０１と協調して動作する。図９は、視差光学系として視差バリア１０３を備える前面視差バリアタイプの３Ｄ自動立体ディスプレイを示している。視差バリア１０３は、参照番号１０４として示されるような、垂直に伸び且つ横方向には等間隔で平行に並ぶ複数のスリットを備えており、各スリットは、個々の色のピクセル列の一対の中心に位置される。例えば、図９の１０４で示されるスリットは、青ピクセルの列１０５及び緑ピクセルの列１０６に位置合わせされる。
【０００７】
左及び右ビューイングウインドウが正しい配置に確実にあるようにするために、左及び右のイメージデータは、図１０に示される方法で、図９に示されるタイプの液晶表示デバイス１０１に供給される。図１０で、左イメージの最も左のストリップの色イメージデータは、Ｃｏｌ０左で示される赤、緑、及び青ピクセル列によって表示される。同様に、右目ビューの最も左のストリップの色データは、Ｃｏｌ０右で示されるピクセルの列によって表示される。この配置によって、左及び右のビューのイメージデータが、適切な左及び右ビューイングウインドウへ確実に送られる。この配置はまた、３つのピクセル色Ｒ、Ｇ、及びＢがすべて、各ビューストリップを表示するために使用されることを確実にする。
【０００８】
このように、図８に示されるレイアウトと比べて、図１０に示されるレイアウトで、最も左の列の赤及び青ピクセルは、左のビューのイメージデータを表示する一方、最も左の列の緑ピクセルは、右のビューのイメージデータを表示する。次の列において、赤及び青ピクセルは、右のビューのイメージデータを表示する一方、緑ピクセルは、左のビューのイメージデータを表示する。このように、図８から１０に示されたタイプの標準的な液晶表示デバイスを使用する場合には、ＲＧＢピクセルの列間で緑コンポーネントを「交換」しながら、左及び右のビューのイメージデータをインターレースすることが必要である。当然ながら、ディスプレイの設定によっては、緑コンポーネント以外に、赤或いは青コンポーネントが交換されてもよい。
【０００９】
図１１は、ディスプレイコントローラの一部を示す。表示されるデータは、データバス１２０上にシリアル形態で供給され、ピクセルのスクリーンにおける配置を定義するアドレスは、アドレスバス１２１上に供給される。データバス１２０は、メモリ（ＶＲＡＭ）１２２及び１２３のようなランダムアクセスメモリ（図面に２つ示される）の数個のバンクの入力に接続される。アドレスバス１２１は、メモリ管理システム１２４に接続される。このメモリ管理システム１２４は、スクリーンアドレスを、メモリ１２２及び１２３のアドレス入力へ供給されるメモリアドレスに変換する。
【００１０】
メモリ１２２及び１２３の出力ポートは、ラッチ回路１３０を介して、ビデオコントローラ１２６のファーストインファーストアウト（ＦＩＦＯ）レジスタ１２５へ接続される。メモリ１２２及び１２３、並びにレジスタ１２５は、個々のピクセルデータがメモリ１２２及び１２３から交互に読み出されて正しい順序で表示用メモリ（ＶＲＡＭ）１２７へ供給されるように制御される。表示用メモリ１２７は液晶表示デバイス１０１のドライバ回路との間にあって並び替えられた表示データを一旦蓄える表示用メモリである。
【００１１】
図１２は、更に詳細にラッチ回路１３０を示す。ラッチ回路１３０は、メモリ１２２及び１２３の出力ポートにそれぞれ接続されるラッチ１４０及び１４１を備える。ラッチ１４０及び１４１の各々は、それぞれのメモリからのＲ、Ｇ、Ｂデータをラッチする８個で１グループとして配置される２４個の１ビットラッチを備える。ラッチ１４０及び１４１は、ラッチイネイブル（ｌａｔｃｈ　　ｅｎａｂｌｅ）入力をまとめて接続して、ラッチイネイブル信号Ｌを供給するタイミング生成器１２８の出力へ接続させる。
【００１２】
ラッチ回路１３０は更に、３つのスイッチング回路１４２、１４３、及び１４４を備え、そのスイッチング回路はそれぞれ、制御入力がまとめて接続された８個の個別のスイッチングエレメントを備える。スイッチング回路１４２、１４３、及び１４４の制御入力は、まとめて接続されて、スイッチング信号ＳＷを供給するタイミング生成器１２８の出力へ接続される。タイミング生成器１２８は、書き込みイネイブル信号Ｆをレジスタ１２５へ供給する、更なる出力を有する。
【００１３】
ここで、Ｇデータに対応するスイッチング回路１４３はラッチ回路１４０，１４１に対する切り替わる先が他のスイッチング回路１４２，１４４と異なることに注意すべきである。
【００１４】
表示データがメモリ１２２及び１２３の出力ポートで使用可能な場合、ラッチイネイブル信号Ｌはｈｉｇｈになる。このようにして、ラッチ１４０及び１４１は表示データをラッチする。ラッチイネイブル信号Ｌがｌｏｗに戻ったすぐ後に、スイッチング信号ＳＷは、ｈｉｇｈレベルに上昇する。次に、スイッチング回路１４２、１４３、及び１４４が図１２に示される状態へ切替えられ、ラッチ１４０のＲ，Ｇ，Ｂ出力がレジスタ１２５へ接続されるようになる。その次に、書き込みイネイブル信号Ｆがレジスタ１２５へ供給され、ラッチ１４０からのＲＧＢデータがレジスタ１２５へ書き込まれる。更に次に、書き込みイネイブル信号Ｆは、次の書き込みイネイブル信号まで更なるデータがレジスタ１２５へ書き込まれることを防ぐために、使用不可にされる。
【００１５】
次に、スイッチング信号ＳＷがｌｏｗレベルになり、スイッチング回路１４２、１４３、及び１４４がラッチ１４１の出力をレジスタ１２５へ接続する。更なる書き込みイネイブル信号Ｆが発生して、ラッチ１４１からのデータがレジスタ１２５へ書き込まれる。この時、同時にレジスタ１２５に書き込まれていたデータは、表示用メモリ１２７に書きこまれる。次のラッチイネイブル信号Ｌがｈｉｇｈになり、同様の処理が繰り返される。このように、データは、メモリ１２２及び１２３から、交互にレジスタ１２５へ書き込まれる。表示用メモリ１２７にも、レジスタ１２５に書き込まれていたデータが順次書きこまれ、やがて一画面分の表示に必要なデータが表示用メモリ１２７に書きこまれるまで、繰り返される。
【００１６】
観察者の両目に対して表示されなければならない２Ｄ或いはモノスコープのデータを書き込む場合は以下のとおりである。この場合、視差バリア３による視差光学系は取り除かれることとなる。モノスコープのピクセルデータを、図１１に示される表示用メモリ１２７に直接入力し記憶することによって実行される。３Ｄ表示モードにおいて、左及び右目のイメージの各々は、液晶表示デバイス１０１の水平空間解像度の半分の解像度を有する。２Ｄ或いはモノスコープモードで動作する場合は、２Ｄイメージと対比して液晶表示デバイス１０１の横方向解像度の２倍の解像度を有することとなる。
【００１７】
視差光学系は、その形成を選択できるようにしてもよい。図１３は視差光学系の形成を選択的に行うことにより、２Ｄと３Ｄイメージを選択的に切替えて表示できるように構成された表示デバイスである。ここでは視差光学系は、例えば上記のために図に示すような、２Ｄ／３Ｄ切換え用の液晶デバイス（ＬＣＤ）１５０とパターン化位相差板１５１とを使用している。切替え用液晶デバイス１５０はここでは全面を３Ｄ、２Ｄに切替えるためベタ電極としている。パターン化位相差板１５１は液晶デバイスの２枚の偏光板のうち一方の偏光板に置き換えたものである。図１３において図９と実質同一機能を有する部分については同一符号を付して示している。図１３の例では視差バリヤ１０３´を液晶表示デバイス１０１の背面、すなわちバックライト１０２側に配置しているが、図９に例示のように液晶表示デバイス１０１の前面側に配置してもよい。
【００１８】
図１３に示すような配置において、３Ｄイメージを表示するときは、切替え用液晶デバイス１５０に電圧を加えない。これにより内部の液晶分子は回転した状態を維持し、パターン化位相差板１５１に対する光の偏光特性により、パターン化位相差板１５１のパターンに従い図９の視差バリア１０３のスリット１０４と実質同様のスリットを形成する。２Ｄイメージを表示するときは切替え用液晶デバイス１５０に電圧を印加することにより液晶分子の回転が解除され、パターン化位相差板１５１はパターンの有無に関わりなくパターン位相差板に対する入力光の影響を受けないようになり、スリットの形成を解消することによって達成できる。
【００１９】
なお、２Ｄイメージの表示は図９のように固定的に形成された視差光学系を備えた３Ｄ自動立体ディスプレイにおいて、表示される左右の映像を同じにすることにより、このディスプレイ上に実質的な２Ｄイメージで表示することが可能である。しかし、この場合はディスプレイ自身には視差光学系が形成されたままであり、２Ｄイメージで表示する際にも、使用者が表示を見るときにはこの視差光学系の影響をうけることとなる。
【００２０】
一方、図１３に示すように視差光学系の形成を選択的に行うようにすれば、２Ｄイメージの表示において視差の影響をなくして表示できる利点がある。すなわち、図１３に示すような配置の場合は、２Ｄイメージの表示に選択された時、表示される領域の一部又は全部に視差光学系が全く形成されない、通常に使用されている液晶表示装置と実質的に同様のデバイス構造になり、左右の視差の影響を受けずどの位置からでも容易に視認できる。
【００２１】
【特許文献１】
特開２００１−２５１４０３号公報（第４頁―１２頁、第９図）
【００２２】
【発明が解決しようとする課題】
以上のように、２Ｄと３Ｄの各イメージを切替えて表示するデバイスにあっては、例えば、視差光学系の一構成要素である切換え用液晶デバイス１５０の動作を切替えると共に、表示用メモリ１２７に入力するデータの構造を変化させる必要がある。
【００２３】
携帯電話機等の機器において、２Ｄと３Ｄの各イメージを切替えて表示するデバイスを備え、表示を３Ｄイメージの表示モードにして、予め登録されている画像やカメラで撮影した画像、あるいはＷｅｂサイトやメールなどブラウザでダウンロードした画像を、使用者が任意に選択し再生することが提案される。
【００２４】
本発明は、２Ｄまたは３Ｄイメージが選択的に切替えて表示される表示手段を備えた電子機器において、例えば２Ｄイメージの待ち受け表示状態から、特定キー操作により、３Ｄイメージ表示に簡単に切替えられ、３Ｄイメージの表示を楽しめるようにしたものである。
【００２５】
特定キーとしては、例えばマナーキーのようにそのキーを長押しした時にマナーモードに切り替わるようなモード設定キーが選択される。
【００２６】
【課題を解決するための手段】
第１の発明は、２Ｄまたは３Ｄイメージが選択的に切替えて表示される表示手段を備えた電子機器であって、３Ｄイメージの画像データを予め設定記憶する手段と、２Ｄイメージ表示時３Ｄイメージ表示への表示切替えを指示するキー入力手段と、該キー入力手段のキー入力に従って前記３Ｄイメージの画像データを読み出し表示する表示制御手段とを設けたことを特徴とする２Ｄ（２次元）及び３Ｄ（３次元）表示機能を備える電子機器である。
【００２７】
第２の発明は、前記キー入力手段は、単一キーの入力操作に基き、３Ｄイメージ表示への切替えが指示されることを特徴とする２Ｄ（２次元）及び３Ｄ（３次元）表示機能を備える電子機器である。
【００２８】
第３の発明は、前記表示制御手段は、特定の２Ｄイメージの表示状態の検出手段を備え、該特定の２Ｄイメージ表示時のみ、前記キー入力手段により３Ｄイメージ表示に切替えることを特徴とする２Ｄ（２次元）及び３Ｄ（３次元）表示機能を備える電子機器である。
【００２９】
第４の発明は、前記特定の２Ｄイメージ表示は、２Ｄイメージの待受け画面であることを特徴とする２Ｄ（２次元）及び３Ｄ（３次元）表示機能を備える電子機器である。
【００３０】
第５の発明は、２Ｄまたは３Ｄイメージが選択的に切替えて表示される表示手段を備えた電子機器であって、３Ｄイメージ表示時、２Ｄイメージ表示に切替える表示切替手段を設けたことを特徴とする２Ｄ（２次元）及び３Ｄ（３次元）表示機能を備える電子機器である。
【００３１】
第６の発明は、前記表示切替手段は、全てのキー入力手段を含んでなることを特徴とする２Ｄ（２次元）及び３Ｄ（３次元）表示機能を備える電子機器である。
【００３２】
第７の発明は、２Ｄまたは３Ｄイメージが選択的に切替えて表示される表示手段を備えた電子機器であって、３Ｄイメージ表示時、２Ｄイメージ表示に切替えるキーと、２Ｄイメージ表示時、３Ｄイメージ表示に切替えるキーとを備えてなることを特徴とする２Ｄ（２次元）及び３Ｄ（３次元）表示機能を備える電子機器である。
【００３３】
【発明の実施の形態】
この発明の実施の形態について図面を参照し説明する。図１は本発明の実施の一形態であるクラムシェルタイプのカメラ付携帯電話機１を開いた状態での外観を示す斜視図である。
【００３４】
携帯電話機１は第１の筐体２と第２の筐体３からなり、第１の筐体２と第２の筐体３は、ヒンジ４を介して連結され、ヒンジ４を軸として角変位自在に動くことで折り畳み可能に構成されている。図１に示すように携帯電話機１は第１の筐体２には第１表示部５を備える。第１表示部５は携帯電話機１が折り畳まれた時に内側に位置するように配置されている。第１表示部５は２Ｄ及び３Ｄイメージを電気的に切替えて表示する表示体であり、後述する第１表示ドライバ部４３を介して送られてくる画像データに基づく画像を表示する。また、第１表示部５の上部には通話時に使用する第１のスピーカー６を備える。
【００３５】
次に本発明の実施の一形態である携帯電話機１の第２の筐体３について説明する。入力ボタン群７は、数字および文字を入力するためのキーなどから構成される。機能ボタン群８は携帯電話機における各種設定／機能切替を行うためのボタン群であり、電源のＯＮ／ＯＦＦ切替を行う電源ボタン９、後述するカメラ機能の第１のシャッターボタン１０、メール機能とガイダンス表示を行うメール／ガイダンス用ボタン１１、通話開始とスピーカー受話を行う開始／スピーカー受話ボタン１２、マナーモードを設定／解除する機能と共に、２Ｄ・３Ｄイメージ表示切替え機能を持つマナーボタン１５、機能選択画面での上下左右選択と決定を行う４方向ボタンと決定ボタンで構成されたマルチガイドボタン１３から構成される。また、第２の筐体３の下部には送話マイク１４を備えている。
【００３６】
携帯電話機１の第２の筐体３の配置構成としては、ヒンジ４、機能ボタン群８、入力ボタン群７、送話マイク１４の順番に配置するのが普通であるが、これに限定されるものではない。
【００３７】
図２は携帯電話機１を折り畳んだ状態での外観斜視図である。図２に示すように、第１の筐体２の背面は、ヒンジ４側から順番にカメラ部２１とライト部２２が並んで配置され、第２表示部２０、第２のシャッターボタン２３および第２の操作ボタン群２４が続いて配置される。
【００３８】
第２表示部２０は携帯電話機１が折り畳まれた時に外側に位置するように配置される。第２表示部２０は液晶ディスプレイやＥＬディスプレイなどで実現される。後述する第２表示ドライバ部４４を介して送られてくる撮像画像や時刻情報、電波強度、メール受信表示等のキャラクタ画像の画像データに基づく画像を表示する。これらの画像を表示する際に、第２表示ドライバ部４４から第２表示部２０に送られてくる画像データは、表示した時にヒンジ４方向が上になるように表示される。第２表示部２０は、ヒンジ４方向が上になるように画像表示を行うことにより、ユーザーは携帯電話機１を折り畳んだ状態で使用する際に、ヒンジを上に向けて使用することになり、ユーザーが携帯電話機１を開いた状態でも閉じた状態でも第２の筐体３の向きが変わらない。言い換えれば、携帯電話機１を開いたり閉じたりするたびに、携帯電話機１の向きを変えたり持ち替えたりする必要がなくなり、操作性および利便性が向上する。第２表示部２０での画像表示には撮像画像も含まれ、撮像画像を見る場合にも、携帯電話機１の向きを変えたり持ち替えたりする必要がなくなり、操作性および利便性が向上する。
【００３９】
カメラ部２１は撮像レンズとＣＣＤ（Ｃｈａｒｇｅ　Ｃｏｕｐｌｅｄ　Ｄｅｖｉｃｅ）イメージセンサあるいはＣＭＯＳ（Ｃｏｍｐｌｅｍｅｎｔａｒｙ　Ｍｅｔａｌ　Ｏｘｉｄｅ　Ｓｅｍｉｃｏｎｄｕｃｔｏｒ）イメージセンサなどの撮像素子とＲＧＢの３色のカラーフィルタとを備える。カメラ部２１は被写体で反射されて撮像レンズに入射した光を、カラーフィルタを通してＲＧＢの３色光にし、ＲＧＢの３色光をそれぞれ前記撮像素子に変換する。図２に示すようにカメラ部２１は携帯電話機１が折り畳まれた時に外側にあって、ヒンジ４と第２表示部との間に位置するように設けられている。ユーザーは携帯電話機１を開いて撮影する時には、第２の筐体３を持って撮影する。
【００４０】
ライト部２２は、カメラ部２１で撮像する際の補助光源として使われる。一般的に、キセノン管を用いるものが多いが、最近ではＲＧＢのＬＥＤを同時発光させて、白色光を発光させて補助光源に用いるものもある。
【００４１】
第２のシャッターボタン２３は、第１の筐体２の背面中央に配置され、図２に示す携帯電話機１を折り畳んだ状態では第２表示部２０の下側に位置する。この位置に第２のシャッターボタン２３を配置することにより、ユーザーは折り畳んだ状態で簡単にシャッターボタン位置を確認し、容易に撮影することができる。
【００４２】
また、第２のシャッターボタン２３の両横には第２表示部２０を用いて各種設定／操作を行うための第２の操作ボタン群２４ａ，２４ｂが設けられている。第２の操作ボタン群は、第２表示部２０と連動して、各種機能設定，アドレス帳の表示／検索，メールの確認／表示／発信を操作することができる。また、撮影時のズーム操作や複数の撮像画像の順送り／逆送り等を操作することができる。
【００４３】
第２の筐体３の背面にはアンテナ部２５と上下可能なヘリカル部２６、図示しないが、バッテリーを格納するバッテリー部と着信音を鳴らす第２のスピーカーを備えている。
【００４４】
第１の筐体２はヒンジ４を通して第２の筐体３と機構的に接続されるが、ヒンジ４内には第１の筐体２と第２の筐体３を電気的に接続するための可撓性基板が組み込まれている。
【００４５】
図３に携帯電話機１の内部回路構成例を示す。
【００４６】
制御部４０は携帯電話機１を構成する各部位の動作を制御する制御手段、シャッターボタン制御手段、バックライト制御手段、ライト制御手段および表示制御手段である。画像処理部４１は、増幅部、Ａ／Ｄ（アナログ／デジタル）変換部、信号処理部からなる。増幅部は、カメラ部２１から送られてくるＲＧＢに対応した電気信号を増幅し、Ａ／Ｄ変換部に送る。Ａ／Ｄ変換部は増幅部で変換されたＲＧＢに対応した電気信号（アナログ）をデジタル信号に変換して画像データを出力し、信号処理部に送る。信号処理部は、Ａ／Ｄ変換部から送られてくる画像データに対して、画素の補間処理などの信号処理を行う。また信号処理部は、制御部４０から送られてくる制御信号に基づいて、信号処理を施した画像データを第１メモリ４２に送る。カメラ部２１および画像処理部４１は、入射光を電気信号に変換して画像データとして出力する撮像手段である。第１メモリ４２は、信号処理部から連続的に送られてくる画像データを一時的に記憶している。たとえば、時間的に古い画像データは消去する、あるいは最も新しい画像データを上書きすることで一時的に記憶する。
【００４７】
制御部４０は、第１および第２表示ドライバ部４３，４４に制御信号を送信するとともに、第１メモリ４２に記憶された画像データを、第１および第２表示ドライバ部４３，４４に送る。第１および第２ドライバ部４３，４４は、第１および第２表示部５，２０に表示しようとする画像データに従って、第１および第２表示部５，２０の各画素電極に対して駆動電圧を印加する。
【００４８】
第１および第２バックライト４５，４６は発光素子である発光ダイオードなどから構成され、第１および第２表示部５，２０に光を当てて輝度を増加させる。第１および第２バックライト４５，４６の点灯、消灯の制御および輝度調整などの制御は、制御部４０によって行われる。第１の操作ボタン群４７は前述した第２の筐体３の入力ボタン群７と機能ボタン群８から構成される。第２の操作ボタン群は前述したように第１の筐体２に設置されている。
【００４９】
第１および第２のシャッターボタン１０，２３は、第１メモリ４２に連続的に送られ、一時的に記憶されている画像データの中からユーザーが保存を希望する画像データを、第３メモリ５２に保存する時に、ユーザーによって操作され、保存させる旨の指示信号を制御部４０に出力する。制御部４０は第１および第２のシャッターボタン１０，２３からの指示信号に応答して、第１メモリ４２に記憶されている画像データを第３メモリ５２に保存する。なお、第２メモリ４８は、第１メモリ４２同様に画像データを表示する際に使われるメモリである。
【００５０】
開閉検出部４９は携帯電話機１が折り畳まれているか否かを検出する検出手段である。ヒンジ４内部に図示しない検出スイッチが設けられており、開閉状態に応じて信号が制御部４０に送られ、制御部４０によって携帯電話機１が折り畳まれているかどうかを判断する。
【００５１】
アンテナ部２５は、無線電波を介して基地局と無線通信を行うときに、音声データ、文字データおよび画像データなどを送受信する。無線部５０は、受信時は、基地局からアンテナ部２５を介して受信したデータを復調し、送信時は、通信制御部５１から送られてくる文字データおよび画像データを所定のプロトコルに基づいて制御部４０に送る。無線部５０、通信制御部５１を介して受信した相手先からの受信データは、第３メモリ５２に記憶される。
【００５２】
制御部４０は、第１メモリ４２に一時的に保存されている画像データに基づく画像を表示する表示部を、開閉検出部４９の検出結果に基づいて切替える。開閉検出部４９によって、携帯電話機１が折り畳まれていることが検出された場合、制御部４０は、第１メモリ４２からの画像データを第２表示ドライバ部４４に出力し、第２表示部２０に画像を表示させる。開閉検出部４９によって、携帯電話機１が折り畳まれていない（開いている）ことが検出された場合、制御部４０は、第１メモリ４２からの画像データを第１表示ドライバ部４３に出力し、第１表示部５に画像を表示させる。
【００５３】
カメラ部２１は、携帯電話機１が折り畳まれたときの外側に設けられているので、携帯電話機１の撮影者以外の被写体を撮像するときは、撮影者は、携帯電話機１を開いた状態でカメラ部２１をユーザーと反対側にある被写体側に向けて撮像する。この状態では、携帯電話機１が開いていること、すなわち折り畳まれていないことが開閉検出部４９によって検出され、カメラ部２１から出力された画像データに基づく画像が第１表示部５に表示される。これによって、ユーザーは第１表示部５を撮像時のファインダーとして使用することができる。
【００５４】
一方、撮影者自身を被写体として撮像するときは、撮影者は携帯電話機１を折り畳んだ状態でカメラ部２１をユーザー側に向けて撮像する。この状態では、携帯電話機１が折り畳まれていることが開閉検出部４９によって検出され、カメラ部２１から出力された画像データに基づく画像が第２表示部２０に表示される。これによって、撮影者は第２表示部２０を撮影時のファインダーとして使用することができる。なお、本発明の実施の一形態である携帯電話機１では、携帯電話機１を開いた状態でも利用者自身を撮影可能である。
【００５５】
第１表示部５は図１３で説明したような、視差光学系の形成を選択的に行うことにより、２Ｄイメージ及び３Ｄイメージを切替えて表示できる表示デバイスから構成される。第２表示部２０は２Ｄイメージのみ表示される通常の表示デバイスから構成される。第１表示部５に接続される第１表示ドライバ部４３は、図１１で説明したメモリ１２２，１２３及びビデオコントローラ１２６を含んでなるものである。
【００５６】
カメラ部２１より写した画像を第１表示部５をファインダーとして使用しながら撮るときは、第１表示部５は２Ｄイメージの表示モードとされる。すなわち、本実施形態の携帯電話がキー操作等により撮像モードに設定されるときは、第１表示部５は２Ｄイメージの表示モードに設定される。カメラ部２１で撮像される画像は、通常３Ｄイメージ用に特別に変換するまでは左目及び右目のイメージに区別されることはなく、２Ｄのイメージで生成されるものである。したがって、第１表示部５において、２Ｄ／３Ｄ切替え用液晶デバイス１５０が２Ｄイメージ用に切替えられるとともに、カメラ部２１より撮像された画像データが第１メモリ４２から第１表示ドライバ部４３の内のビデオコントローラ１２６の表示メモリ１２７に直接に入力される。これらによってカメラ部２１で撮像される画像は、２Ｄ表示でファインダーとしてシャッターを操作するまではリアルタイムに表示される。
【００５７】
第１表示部５において、３Ｄイメージの表示は例えばメールより３Ｄイメージデータのコンテンツとして送付され、本実施形態の携帯電話機で受信される場合に使用し得る。コンテンツはアニメや風景写真、その他、２Ｄより３Ｄイメージでの表示が適切であるもの、あるいは、３Ｄのほうがより楽しめるものなどが好ましいが、これらに限定されない。ただし、本実施形態においては、受信されるデータは表示デバイスの特性上、コンテンツのデータ構造としては、左目及び右目にそれぞれ分割されたイメージデータであることが必要である。または、携帯電話機に３Ｄ変換機能を内蔵することより、携帯電話自身に備え付けのカメラ部で撮った映像を左目及び右目にそれぞれ分割された３Ｄイメージデータに変換して表示するようにしてもよい。あるいは、同様機能を有する他の携帯電話より３Ｄイメージデータが送信されこれを受信して表示する場合も利用し得る。
【００５８】
待受け画面としては、通常、携帯電話機において電話機としての未使用時にデフォルト画面として設定されている。待受け画面は、予め登録されている画像やカメラで撮影した画像、あるいはＷｅｂサイトやメールなどブラウザでダウンロードした画像を選択することにより使用者が任意に設定可能である。３Ｄ表示はビットマップによる写真・絵画あるいはアニメを表示するのに適しており、楽しめる画面とすることができる。
【００５９】
図４は、２Ｄイメージの待ち受け表示時に、特定キーの操作により、第１表示部５における画面の表示を２Ｄから３Ｄのイメージに切り替えるフローチャートを示している。この例では、特定キーとして、マナーキー操作で２Ｄから３Ｄのイメージに切り替える例を示している。マナーキーは、２Ｄイメージの待ち受け画面表示時に、長押しするとマナーモードに切り替わる機能を有しているので、短押しの時に、３Ｄイメージ画面表示に切替えるキーとして都合が良い。２Ｄから３Ｄのイメージに切替えるためのキーはマナーキーに限らず２Ｄイメージの待ち受け画面表示の時に、有効とならない任意のキーとしてもかまわない。
【００６０】
例えば、電源キーは長押しした時に、電源ＯＦＦになるので、短押しの時に、前記特定キーとして、作用するキーに設定しても良い。またマナーキーや電源キーに限らず、専用のキーを特定キーとして設定しても差し支えない。
【００６１】
図４で２Ｄ待ち受け画面表示状態（Ｓ１９）から、キー入力される（Ｓ２０）と、入力されたキーがマナーキーかどうか判断（Ｓ２１）される。マナーキーの場合長押しかどうか（Ｓ２２）判断される。長押しでない場合に、２Ｄモードから３Ｄモードに切り替え、（Ｓ２６）３Ｄイメージ画面用の３Ｄデータが第３メモリ５２より第１メモリ４２に読み出される（Ｓ２７）。第１メモリ４２に読み出された３Ｄデータは第１表示ドライバ部４３に入力され、第１表示部５において３Ｄイメージで画面表示される（Ｓ２８）。
【００６２】
このように、単一キーの操作で、３Ｄイメージの設定した画面表示に切り替えることができるので、簡単に３Ｄイメージの画面を楽しめることができる。
【００６３】
通常、各メニュー表示から選択、決定を何段階か経て３Ｄイメージ表示に切り替えることが多く非常に煩雑でかつ面倒である。上記は、この手続きを省略して簡単に３Ｄイメージ表示することが出来る。
【００６４】
マナーキー長押しの場合は、マナーモードの変更モードとなるので、現在のマナーモードがＯＮ（設定）されているかどうか（Ｓ２３）判断される。マナーモードがＯＮの場合は、マナーモードを解除する（Ｓ２４）。またマナーモードが設定されていない場合（ＯＦＦの場合）は、マナーモードを設定する（Ｓ２５）。
【００６５】
マナーキーでない場合、電源キーかどうか判断される（Ｓ２９）。電源キーの場合、長押しかどうかを判断する（Ｓ３０）。長押しの場合は、電源をＯＦＦする（Ｓ３１）。長押しでない場合はなにもせずに終了する。従って前述のように電源キーを２Ｄから３Ｄイメージの表示切替えキーにしても良い。
【００６６】
電源キーでなく、数字キーであれば（Ｓ３２）、２Ｄ画面表示をクリアし、数字キーを入力（Ｓ３３）し、＃または＊キー（Ｓ３４）であれば、２Ｄ画面表示をクリアして、＃または＊キーを入力（Ｓ３５）し、それぞれの入力したキーを表示する（Ｓ３６）。＃または＊キーでなく、電話キー（Ｓ３７）であれば、２Ｄ画面表示をクリアし、電話の発信処理（Ｓ３８）を行い、発信画面表示（Ｓ３９）を行う。電話キーでなくメールキー（Ｓ４０）であれば、２Ｄ画面表示をクリアし、メールキー処理（Ｓ４１）を行い、メールメニュ表示（Ｓ４２）を行う。メールキーでなくカメラキー（Ｓ４３）であれば，２Ｄ画面表示をクリアし、カメラ撮影モード（Ｓ４４）を起動し、カメラ撮影画面表示（Ｓ４５）になる。
【００６７】
カメラキーでなくＦキー（Ｓ４６）であれば、メニュ表示（Ｓ４７）になる。
【００６８】
この場合のＦキーとは、マルチガイダンスボタン１３の中央にある決定キーを指す。
【００６９】
図５は、図４で説明した３Ｄイメージ画面を設定する操作例を説明する図である。画面表示設定のメニュ表示（Ｓ１００）で、「メイン画面表示設定」を選択し、決定する（Ｓ１０１）、次に各種設定メニュ表示（Ｓ１０２）で、「３Ｄビュア」を選択し、決定する（Ｓ１０３），続いて選択する画像を決定するためメニュ表示（Ｓ１０４）から、「内臓画像」を選択し、決定する（Ｓ１０５），この時「マイピクチャ」を選択して、カメラで撮影した画像を選択しても良い。あるいはＷｅｂサイトやメールなどブラウザでダウンロードした画像を選択すると、さらに楽しい画像を楽しむことが出来る。これらの画像はサムネイル画像として一覧表示されるので（Ｓ１０６）、望みの画像を選択して決定キーを押す（Ｓ１０７）と、選択した画像が３Ｄイメージで保存され（Ｓ１０８）、２Ｄ待ち受け画面表示時に単一キー押しだけで簡単に３Ｄイメージ画面表示を楽しむことが出来る。サムネイル画像は一覧表示されると、３Ｄイメージ画面表示出来る画像には、サムネイル画像の右下に３Ｄと表示されるので、３Ｄ表示出来る画像と出来ない画像が簡単に判別出来て便利である。このように、３Ｄイメージ画面を設定保存するには、一連の手順が必要であるが、一度設定保存された３Ｄイメージ画像は、図４で説明したように、特定キーを押すだけで、３Ｄイメージ画面表示することができるので、簡単に好みの３Ｄイメージ画像を楽しむことが出来る。
【００７０】
また図示していないが、複数の３Ｄイメージ画面を内臓メモリーに設定しておくことにより、２Ｄの待ち受け画面表示時に、決定キー（Ｆキー）に続いてマナーキーを押すことにより、内臓の３Ｄイメージ画像群を数秒間隔で連続的に読み出し表示するスライドショウ表示を行っても良い。そうすればさらに色々な３Ｄイメージ画面表示が楽しめる。
【００７１】
なお、携帯電話機は、キー操作に伴う各機能の動作が終了すると、待ち受け画面に戻るようになっている。待ち受け画面は、通常日時や時刻を表示しており、いわゆるデフォルト画面として提案される。
【００７２】
３Ｄイメージ表示は、揺れる車内などでは、表示が見難い場合があり、そのような時には、下記のようにして簡単に２Ｄ待ち受け画面に復帰可能である。
【００７３】
また、上述の図４で説明したように、マナーキー操作で３Ｄイメージ画面を表示することが可能であるが、かかる３Ｄイメージ画面表示時も、下記のような簡単な操作で２Ｄ待ち受け画面に復帰出来る。
【００７４】
図６は、３Ｄモードを２Ｄモードに切り替えて、３Ｄイメージの表示から２Ｄイメージの待ち受け画面表示に切替える動作例を説明するフローチャートである。
【００７５】
３Ｄイメージ画面表示用の３Ｄデータが第３メモリ５２より第１メモリ４２に読み出される（Ｓ２１）。第１メモリ４２に読み出された３Ｄデータは第１表示ドライバ部４３に入力され、第１表示部５において３Ｄイメージで画面が表示される（Ｓ２２）。
【００７６】
このようにして設定された３Ｄイメージ画面の表示時、いずれかのキー（図１のキー群７、８など）が入力されると（Ｓ２３）、第１表示部５の表示モードが３Ｄから２Ｄ表示モードに切替えられる（Ｓ２４）と共に、２Ｄイメージの表示データが第３メモリ５２より第１メモリ４２に読み出され（Ｓ２５）、第１表示ドライバ部４３に入力され表示される（Ｓ２６）。切替えられる２Ｄイメージのデータとしては警告表示であってもよいし、予め２Ｄイメージの待受け画面として設定されている２Ｄイメージの待受け画面であってよい。また、ここでは全てのいずれのキー操作でも２Ｄイメージの表示に切替わるようにしている。したがって、３Ｄイメージの表示が見づらくなったときには選択の余地なくいずれのキー操作でも操作すれば２Ｄイメージの表示に切り替えることができる。もちろん、任意の選択されたキー操作のみで２Ｄイメージの表示に切り替えるようにしても何ら差し支えない。
【００７７】
また、本件携帯電話機において、制御部４０と任意のメモリ部により、３Ｄイメージの表示時間を計数する計数手段が構成され、この時間計数手段により３Ｄイメージの表示時間を計数するようにしている。
【００７８】
キー入力ではない場合は、上記３Ｄイメージの表示時間計数手段によって、あらかじめ設定された時間になる（Ｓ３４）と、同様にして、表示モードを２Ｄ表示モードに切り替えられるともに（Ｓ２４）、２Ｄイメージの待受け画面用の２Ｄデータを第３メモリ５２より第１メモリ４２に読み出し（Ｓ２５）、第１表示ドライバ部４３に入力することによって、第１表示部５において２Ｄイメージで待受け画面を表示する（Ｓ２６）。
【００７９】
上述のように３Ｄイメージでの表示は、所定の時間あるいはキー操作により、２Ｄ待ち受け画面表示に切替えることができる。設定時間はデフォルトであらかじめ設定してもよいし、キー操作等により使用者が任意に設定時間を変えられるようにしてもよい。また、コンテンツに予め最大の許容時間情報を入れておき、３Ｄイメージの表示時これを読出し所定時間としてもよい。なお、図示のように、あらかじめ設定された時間ではなくても、例えばアラーム設定時刻になるか、あるいは電話及びメールを着信する場合（Ｓ２７）は、３Ｄモードから２Ｄモードに切り替える（Ｓ２８）と共に、アラーム画面データを読み出し或いは着信画面データを読み出し（Ｓ２９）、それぞれのデータは、第１表示ドライバ部４３に入力され、第１表示部５においてそれらを表示する（Ｓ３０）ようにしてもよい。この場合、文字を含むアラーム内容あるいは着信内容を使用者が時間をかけず容易に判別できるよう、２Ｄイメージで表示すると使い勝手がよい。
【００８０】
以上の例では、第１表示部５において、３Ｄイメージの画面が表示されている場合を説明したが、Ｗｅｂサイトやメールから受信した３Ｄイメージデータのコンテンツを再生してみる場合、あるいは携帯電話に備え付けのカメラ部で撮った映像を３Ｄイメージデータに変換し表示する場合や、あらかじめ撮影した画像を記録したメモリから再生してみる場合なども同様である。
【００８１】
図７は上記の表示例を示すものであり、（ａ）は２Ｄイメージの待受け画面表示例、（ｂ）は３Ｄイメージの画面表示例、（ｃ）はメール着信時の２Ｄイメージによる着信画面表示例である。
【００８２】
なお、本発明の実施の一形態としてカメラ付き携帯電話機１について説明したが、カメラが無い場合であっても、２Ｄ及び３Ｄイメージが選択的に切り替えて表示される表示手段を備える構成であれば、本発明を適用可能である。
【００８３】
また、例えばユーザーが、３Ｄイメージを撮影できるカメラが搭載されている携帯電話機で、現在カメラで撮影している３Ｄイメージを表示手段に表示し、実際に３Ｄイメージを見ながら撮影してもよい。
【００８４】
さらに、上記の例では、第１の筐体と第２の筐体が連結部によって折り畳み可能に構成される電子機器について説明したが、筐体が１つであっても、２Ｄ及び３Ｄイメージが選択的に切り替えて表示される表示手段を備える構成であれば、本発明を適用可能である。
【００８５】
また、上記では第１表示部５は、図１３に示すような構成からなり視差光学系の形成を選択できるものとして説明したが、図９又は図１３のようなデバイスを用いて、２Ｄイメージを表示するとき、視差光学系を形成したままで、左右の目で観察される視差を同一とするように表示データを変えるものであっても本発明は、適用可能である。
【００８６】
また携帯電話に限らず、携帯端末、携帯パソコン等の携帯機器、ならびにデスクトップパソコン等の情報機器、さらにはオーディオ・ビデオ機器を含む各種電子機器でも、本発明は適用可能である。
【００８７】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【００８８】
【発明の効果】
以上、本発明によれば、２Ｄ及び３Ｄイメージが選択的に切り替えて表示される表示部を備える電子機器にあって、２Ｄイメージ表示から、簡単なキー操作により、３Ｄイメージの表示に切り替えることが出来、３Ｄイメージの画面を楽しむことが出来る。また３Ｄイメージ画面表示からも簡単なキーの操作で２Ｄイメージの表示に切替えられるので、使い勝手のよいものとすることが出来る。
【図面の簡単な説明】
【図１】本実施の形態に係る電子機器の外観斜視図である。
【図２】本実施の形態に係る電子機器の折り畳んだ状態での外観斜視図である。
【図３】本実施の形態に係る電子機器の構成を示すブロック図である。
【図４】本実施の形態に係る電子機器の待受け画面制御処理を示すフローチャートである。
【図５】本実施の形態に係る電子機器の３Ｄ画像設定操作を示すフロー図である。
【図６】本実施の形態に係る電子機器の待受け画面制御処理を示すフローチャートである。
【図７】本実施の形態に係る電子機器の表示例を示す図である。
【図８】液晶のピクセルレイアウトを示す図である。
【図９】３Ｄ表示デバイスの構成例を示す断面図である。
【図１０】３Ｄ表示のための並び替えを説明するピクセルレイアウトの図である。
【図１１】ディスプレイコントローラの構成例を示すブロック図である。
【図１２】ディスプレイコントローラの一部詳細を示すブロック図である。
【図１３】２Ｄ／３Ｄ切替え可能な表示デバイスの構成例を示す断面図である。
【符号の説明】
１　携帯電話機
２　第１の筐体
３　第２の筐体
５　第１表示部
２０　第２表示部
２１　カメラ部
４０　制御部
４２　第１メモリ
４３　第１表示ドライバー部
５２　第３メモリ
【図１】
2004133305.tif 000003
【図２】
2004133305.tif 000004
【図３】
2004133305.tif 000005
【図４】
2004133305.tif 000006
【図５】
2004133305.tif 000007
【図６】
2004133305.tif 000008
【図７】
2004133305.tif 000009
【図８】
2004133305.tif 000010
【図９】
2004133305.tif 000011
【図１０】
2004133305.tif 000012
【図１１】
2004133305.tif 000013
【図１２】
2004133305.tif 000014
【図１３】
2004133305.tif 000015